(57)【特許請求の範囲】
【請求項１】
口頸部が形成された容器本体と、この容器本体の口頸部内に装着される栓体と、を備え、 前記栓体は、その中心部で錠剤を限定的に通過可能とする筒状部を有し、
この筒状部は、
対向する一対の側壁間に配設されて、これらの前端部間を連結状態とする前壁と、
両側壁間において、この前壁に該筒状部の軸心を挟んで対峙する後方位置で高さ方向の中央部が両側壁の対向方向に沿うヒンジ回りに揺動自在に支持され、かつ上下方向に起立させた状態で前記前壁に対峙して該筒状部の後壁を形成するように配置された蓋板と、
両側壁間の下部空間を、前記軸心を挟んで前壁とヒンジとが互いに対向する前後方向に二分する垂直壁と、が形成され、前記垂直壁と蓋板との間が、錠剤を通過可能で、かつ前記蓋板を上下方向に起立させた状態で上下貫通状態に開放される開口とされるとともに、垂直壁と前壁との間に両側壁間の下方を底部壁により閉塞状態とした錠剤計量室が形成され、
前記蓋板は、その上端を前記前壁に当接させて垂直壁の上端との間に所定量の錠剤を通過可能な空間を形成しつつ前記錠剤計量室の上方を覆う計量姿勢と、下端を前記垂直壁に当接させて前記開口を閉塞するとともに錠剤計量室の上方を開放状態とする錠剤放出姿勢と、の間で揺動自在とされていることを特徴とする錠剤容器。
【請求項２】
前記栓体は、容器本体の口頸部に嵌合される周壁部と、この周壁部の下方を閉塞する底壁と、を備えるとともに、前記筒状部は、前記底壁の中央部を貫通するように配設され、
前記垂直壁は前記底壁より下方に垂下し、
前記両側壁において、垂直壁よりも前記前壁側の前方に位置する部分、および前壁は、前記垂直壁の下端の高さ位置まで延在し、
前記錠剤計量室は、これらの両側壁、前壁および垂直壁により囲まれた空間の下方が前記底部壁により閉塞されて形成され、
前記ヒンジは、前記底壁から両側壁間に立設した支持壁の上端に形成されていることを特徴とする請求項１記載の錠剤容器。
【請求項３】
前記蓋板の上端部の表裏面のうち、該蓋板が計量姿勢にあるときに前記容器本体の内側を向いて錠剤が接触する内側面と反対側の背面に、操作片が突出して形成されていることを特徴とする請求項１又は２に記載の錠剤容器。
【請求項４】
前記前壁に、前記計量姿勢の蓋板の上端を係脱可能に保持する係止部が形成されていることを特徴とする請求項１から３のいずれか１項に記載の錠剤容器。
【発明の詳細な説明】
【技術分野】
【０００１】
本発明は計量機能を備えた錠剤容器に関する。
【背景技術】
【０００２】
錠剤を収容する容器にあっては、容器を一旦傾けるなどの操作によって内部の錠剤を計量し、その後、容器を起して再度傾けると、計量された分だけの錠剤を取り出すことができるように構成した容器がある。
このような容器として、計量機能を有する中栓を容器本体の口頸部に設けた構成のものがある。例えば特許文献１に記載の容器においては、口頸部に嵌合した中栓が、その下端の前側半分を底壁により閉塞するとともに残りの後部半分を開口した状態とし、その開口の前縁から容器本体内にガイド板を垂下させ、口頸部に被せられるキャップの頂壁と中栓の底壁との間で計量室を形成した構成とされている。そして、キャップを被せた状態で容器を傾け、錠剤の一部をガイド板に沿って中栓の開口から計量室に導いた後に、容器を正立姿勢に戻すと、計量室内に所定量の錠剤が収容された状態となり、その状態でキャップを外して容器を倒せば、所定量に計量された錠剤を取り出すことができるようになっている。
【特許文献１】特開２００３−１２８１６７号公報
【発明の開示】
【発明が解決しようとする課題】
【０００３】
ところで、この容器においては、中栓のガイド板が開口の前縁から容器本体内に延びるように形成されていることから、容器を傾けたときに、このガイド板を乗り越えた錠剤が開口を経由して計量室内に入り込み、正立姿勢に戻したときに、余分な錠剤が開口から容器内に落下することにより、計量室内に所定量の錠剤が収容されることになる。この場合、容器内の錠剤の量が多いときは、計量後にキャップを外して錠剤を取り出す際に、計量室内の錠剤だけでなく、容器本体内部の錠剤もガイド板を乗り越えて外にこぼれてしまうおそれがある。このため、内部に収容する錠剤の量を制限しておく必要がある。
【０００４】
本発明は、このような従来の事情に鑑みて提案されたものであり、容器本体内の錠剤の量にかかわらず正確に計量して取り出すことができるとともに、容器としての使用効率を向上させ得る錠剤容器を提供することを目的とする。
【課題を解決するための手段】
【０００５】
この目的を達成するために、本発明に係る容器は、口頸部が形成された容器本体と、この容器本体の口頸部内に装着される栓体と、を備え、 前記栓体は、その中心部で錠剤を限定的に通過可能とする筒状部を有し、この筒状部は、対向する一対の側壁間に配設されて、これらの前端部間を連結状態とする前壁と、両側壁間において、この前壁に該筒状部の軸心を挟んで対峙する後方位置で高さ方向の中央部が両側壁の対向方向に沿うヒンジ回りに揺動自在に支持され、かつ上下方向に起立させた状態で前記前壁に対峙して該筒状部の後壁を形成するように配置された蓋板と、両側壁間の下部空間を、前記軸心を挟んで前壁とヒンジとが互いに対向する前後方向に二分する垂直壁と、が形成され、前記垂直壁と蓋板との間が、錠剤を通過可能で、かつ前記蓋板を上下方向に起立させた状態で上下貫通状態に開放される開口とされるとともに、垂直壁と前壁との間に両側壁間の下方を底部壁により閉塞状態とした錠剤計量室が形成され、前記蓋板は、その上端を前記前壁に当接させて垂直壁の上端との間に所定量の錠剤を通過可能な空間を形成しつつ前記錠剤計量室の上方を覆う計量姿勢と、下端を前記垂直壁に当接させて前記開口を閉塞するとともに錠剤計量室の上方を開放状態とする錠剤放出姿勢と、の間で揺動自在とされていることを特徴とする。
【０００６】
このように構成した容器では、栓体の揺動自在な蓋板を前倒しにして、その上端を前壁に当接した計量姿勢としておき、この状態で容器を傾けると、開口から導き出される錠剤が蓋板と垂直壁の上端との間の空間を経由して錠剤計量室内に所定量だけ案内される。次いで、容器を起すとともに、蓋板を逆方向に揺動させて後方に倒すことにより、蓋板の下端を垂直壁に当接させた錠剤放出姿勢とすると、錠剤計量室は外部に開放状態となり、栓体の開口は蓋板によって閉塞された状態となる。この錠剤放出姿勢のまま、容器を再度傾けると、容器本体内の錠剤は蓋板によってせき止められ、錠剤計量室内の錠剤のみが外部に取り出される。
【０００７】
この容器において、前記栓体は、容器本体の口頸部に嵌合される周壁部と、この周壁部の下方を閉塞する底壁と、を備えるとともに、前記筒状部は、前記底壁の中央部を貫通するように配設され、前記垂直壁は前記底壁より下方に垂下し、前記両側壁において、垂直壁よりも前記前壁側の前方に位置する部分、および前壁は、前記垂直壁の下端の高さ位置まで延在し、前記錠剤計量室は、これらの両側壁、前壁および垂直壁により囲まれた空間の下方が前記底部壁により閉塞されて形成され、前記ヒンジは、前記底壁から両側壁間に立設した支持壁の上端に形成されてもよい。
また、蓋板の上端部の表裏面のうち、該蓋板が計量姿勢にあるときに容器本体の内側を向いて錠剤が接触する内側面と反対側の背面に、操作片が突出して形成されている構成とすることができ、蓋板を計量姿勢と錠剤放出姿勢との間で揺動させる操作時に操作片を指で操作することにより、錠剤が接触する蓋板の内側面に指などを触ることなく蓋板を揺動させることができる。
【０００８】
また、前記前壁に、前記計量姿勢の蓋板の上端を係脱可能に保持する係止部が形成されている構成としてもよく、このような構成とすることにより、計量操作時に蓋板を強く押さえていなくても、その揺動を拘束することが可能になる。
【発明の効果】
【０００９】
以上のように、本発明の錠剤容器によれば、計量操作後に、栓体の蓋板を錠剤放出姿勢とすると開口を閉塞するので、そのまま容器を傾ければ、容器内部の錠剤は蓋板によって確実にせき止められ、錠剤計量室内の錠剤のみを外部に取り出すことができる。このため、容器本体内の錠剤の量が多い場合でも、錠剤が余分にこぼれ出すことなく計量した分だけ取り出し得て、計量取り出しを正確にすることができる。このことは、言い換えれば、容器内に多くの錠剤を収容しておくことが可能になるのであり、容器としての使用効率を向上させることができる。
【発明を実施するための最良の形態】
【００１０】
以下、本発明を適用した錠剤容器の実施形態について、図面を参照しながら詳細に説明する。
図１に示すように、この実施形態の錠剤容器１は、絞られた口頸部２を有する容器本体３と、その口頸部２内に装着される栓体４と、口頸部２に着脱自在に被せられるキャップ５とから構成されている。
【００１１】
前記容器本体３は、例えばポリエチレン樹脂やポリプロピレン樹脂、ポリエステル樹脂などの合成樹脂材料をブロー成形によりボトル状に成形したものからなる。この容器本体３の胴部６の上端部には、略円筒状に縮径された口頸部２が設けられている。また、口頸部２の外周面には、キャップ５を螺合により装着するための雄ネジ部７が形成されている。なお、容器本体３の形状については、特に限定されないものの、使用する際に持ち易く且つ胴部６から口頸部２が滑らかに連設されていて、錠剤取り出し操作のし易い形状のものが好ましい。
【００１２】
キャップ５は、例えばポリエチレン樹脂やポリプロピレン樹脂などの合成樹脂材料を射出成形するなどにより製造される。このキャップ５は、天板部８の周縁に下方に垂下する周壁部９が一体に形成され、この周壁部９の内周面に口頸部２の雄ネジ部７に螺合する雌ネジ部１０が形成されたものである。また、天板部８の内面にシート状のパッキン１１が設けられている。
【００１３】
前記栓体４は、例えばポリエチレン樹脂やポリプロピレン樹脂などの合成樹脂材料の射出成形によって製造されたもので、容器本体３の口頸部２に緊密に嵌合させられる周壁部１５と、この周壁部１５の下方を閉塞する底壁１６と、この底壁１６の中央部を貫通するように設けられた角形の筒状部１７とから構成されている。
【００１４】
前記周壁部１５は、上端に外向きのフランジ１８が一体に形成されており、容器本体３の口頸部２に嵌合された状態でフランジ１８が口頸部２の上端面に被さる構成とされている。また、この周壁部１５の下端部は若干小径となるテーパ状に形成され、口頸部２への嵌合を容易にしている。前記底壁１６は周壁部１５の下端に一体に形成され、その底壁１６の中央部に同軸上に前記筒状部１７が形成されている。
【００１５】
この筒状部１７は、対向する一対の側壁２１間に、これらの前端部間を連結状態とする前壁２２と、この前壁２２に対峙する後方位置で高さ方向の中央部が両側壁２１の対向方向に沿うヒンジ２３の回りに揺動自在に支持された蓋板２４と、両側壁２１間の下部空間を前後に二分する垂直壁２５と、この垂直壁２５と前壁２２との間に両側壁２１間の下方を閉塞状態とする底部壁２６とが一体に形成された構成とされている。
【００１６】
両側壁２１及び前壁２２は、前記底壁１６に一体に形成され、これらの上端がフランジ１８よりも低く設定されている。垂直壁２５は、図３に示すように栓体４の軸心Cよりも若干前壁寄りに配置されるとともに、前記底壁１６より下方に垂下するように両側壁２１間に一体に形成されている。両側壁２１はL字状の平面形状に形成され、垂直壁２５よりも後方位置では側壁２１は底壁１６までの長さとされ、垂直壁２５よりも前方位置では側壁２１は垂直壁２５の下端まで延びて形成されている。また、前壁２２は側壁２１と同じく垂直壁２５の下端の高さ位置まで延びており、これら両側壁２１、前壁２２、垂直壁２５により囲まれた空間の下方が底部壁２６によって閉塞され、その空間が錠剤計量室２７とされている。
【００１７】
一方、前記蓋板２４は、図２に示すように両側壁２１の間隔よりも若干小さい幅寸法に設定されるとともに、その長さ方向のほぼ中央部の背部がヒンジ２３を介して支持されており、図３に示すように、この蓋板２４を起立させた状態で前記前壁２２に対峙して筒状部１７の後壁を形成するように配置させられる。
【００１８】
前記ヒンジ２３は、前記底壁１６から両側壁２１間に立設した支持壁３１の上端に、その部分を両側壁２１の対向方向に沿って薄肉にすることにより形成されている。そして、この蓋板２４を起立状態としたときの垂直壁２５との間が、上下貫通状態に開放されており、その部分が錠剤を通過させ得る開口３２とされている。
【００１９】
また、この蓋板２４の長さは、蓋板２４を起立した状態では、図３に示すように、その上端部が栓体４の前記フランジ１８よりも上方に突出し、下端部が前記垂直壁２５とほぼ同じ高さ位置まで達する長さに形成されている。また、蓋板２４の上端部には、前方に向けて屈曲するひさし片３３が一体に形成されている。
【００２０】
そして、蓋板２４を前倒しにしたときに、図１に示すように、蓋板２４の上端のひさし片３３が前壁２２に当接するとともに、蓋板２４と垂直壁２５の上端との間に錠剤が通過し得る空間３４があけられ、逆に蓋板２４を後ろ倒しにすると、蓋板２４の下端が垂直壁２５に当接する寸法関係に設定されている。
すなわち、蓋板２４を前倒しにしてその上端を前壁２２に当接した状態が、錠剤計量室２７が空間３４を介して開口３２に連通した状態であり、このときの蓋板２４の姿勢を計量姿勢とする。一方、蓋板２４を後ろ倒しにしてその下端を垂直壁２５に当接した状態が開口３２を閉塞して錠剤計量室２７を容器外方に向けて開放した状態であり、このときの蓋板２４の姿勢を錠剤放出姿勢とする。
【００２１】
また、この蓋板２４のひさし片３３が当接する前壁２２の当接位置には、蓋板２４のひさし片３３を係止する突起状の係止部３５が形成されている。この係止部３５による係止力は、容器１を倒した状態で複数個の錠剤の重量が加わっても蓋板２４が外れない程度であり、かつ蓋板２４に若干の外力を作用させることにより係止状態が解除される程度の強さに設定される。
【００２２】
また、蓋板２４の上端部においてひさし片３３より後方に配置される突出部分は、操作片３６とされており、この操作片３６とひさし片３３とにより蓋板２４の上端部が二股状に分岐された形状とされている。そして、蓋板２４を前方に倒した状態では、図１に示すように、ひさし片３３が前壁２２に当接し、その当接状態において操作片３６が両側壁２１の上端よりも上方に突出するようになっている。
なお、図３及び図４は、栓体４を射出成形によって製造する場合の形状を示しており、これらの図に示すように蓋板２４は上下方向に起立した姿勢とされ、この状態で上下方向に開閉する金型によって形成される。
【００２３】
このように構成した容器において、錠剤を計量して容器１から取り出す方法について説明する。
まず、図１に示す状態からキャップ５を外す。このとき、栓体４の蓋板２４は、そのひさし片３３が前壁２２に当接して、その係止部３５に係止された状態、つまり計量姿勢としておく。この状態では、蓋板２４と垂直壁２５の上端との間に錠剤が通過可能な空間３４が形成され、この空間３４を介して錠剤計量室２７が開口３２に連通した状態となっている。
【００２４】
そして、容器本体３の胴部６を手で把持して、図５に示すように口頸部２を下方に向けた姿勢に容器本体３を傾けると、開口３２を経由した錠剤Ｔが蓋板２４の表面を滑るようにして、この斜めの蓋板２４に沿って垂直壁２５の上端との間の空間３４から錠剤計量室２７内に入り込む。この図５の例では、１個の錠剤Ｔが錠剤計量室２７の入口付近にほぼ入り込み、次の錠剤Ｔが垂直壁２５の上端と蓋板２４との間の空間３４に配置された状態となっている。
【００２５】
このとき、図５に鎖線で示すように、容器本体３の胴部６を把持した手の親指Fを蓋板２４の操作片３６の位置に添えておき、容器本体３を起こしながら、蓋板２４を図６の矢印で示す時計方向に揺動させ、その下端を垂直壁２５に当接させた錠剤放出姿勢とすると、栓体４の開口３２が蓋板２４によって閉塞された状態となるとともに、錠剤計量室２７が外方に開放された状態となる。このとき、図示例の容器においては、錠剤計量室２７内には、図５で錠剤計量室２７の入り口付近に入り込んだ錠剤Ｔと、その次の錠剤Ｔとの２錠が滑り込み、その他の錠剤は容器本体３内に戻される。
【００２６】
次いで、蓋板２４の操作片を指Fで押さえて錠剤放出姿勢としたままの状態で、図７に示すように、容器本体３の口頸部２を再度下向きにするように倒すと、錠剤計量室２７内の錠剤Ｔが外方に取り出される。このとき、開口３２は蓋板２４によって閉塞された状態であるから、容器本体３内の錠剤が外部にこぼれ出すことはない。
【００２７】
この錠剤容器１は、口頸部２内に装着される栓体４に、錠剤通過口となる開口３２を形成するとともに、その開口３２を栓体４の蓋板２４によって開閉し得るように構成し、その蓋板２４の開閉操作によって、錠剤を開口３２から錠剤計量室２７に導く計量姿勢と、開口３２を閉じて錠剤計量室２７を外部に開放状態とする錠剤放出姿勢とし得るので、錠剤の計量を正確に行い得ることはもちろん、錠剤放出姿勢のときは開口３２を閉塞状態として、余分の錠剤がこぼれ出すことを確実に防止して、常に一定量の錠剤を取り出すことができる。
したがって、容器本体３内に収容された錠剤の量が多い場合でも、錠剤放出姿勢においては内部の錠剤がこぼれ出すことが防止されるので、容器内のスペースを有効に利用することができる。
【００２８】
そして、この計量及び錠剤取り出し操作の際に、蓋板２４の背面に形成した操作片３６を操作するように構成されているから、錠剤が接触する蓋板２４の前面を指で触ることがなく、蓋板２４の前面を常に清潔な状態に維持することができる。
また、計量姿勢時においては、蓋板２４のひさし片３３を係止部３５が係止するので、計量操作時に蓋板２４を指で強く押さえていなくても、その揺動が拘束され、不用意に蓋板２４が揺動して錠剤がこぼれ落ちてしまうことを防止することができる。
【００２９】
なお、本発明の錠剤容器においては、前記実施形態に限定されるものではなく、本発明の趣旨を逸脱しない範囲において種々の変更を加えることが可能である。
例えば、栓体４の周壁部１５及び底壁１６は、筒状部１７を容器本体３の口頸部２の中心部に配置して、その周囲から錠剤が通過しないようにするものであればよく、錠剤が通過できない間隔で配置した複数本のフレームによって構成されるものでもよい。
また、キャップ５は蓋板２４が外部に露出しないように被せられるものであり、このキャップ５がなくても、蓋板２４を操作することにより、計量して錠剤を取り出すことが可能である。この場合、蓋板２４のひさし片３３とこれを係止する係止部３５との係止構造を強固なものとしておくとよい。
【図面の簡単な説明】
【００３０】
【図１】本発明の錠剤容器の一実施形態を示す口頸部の縦断面図である。
【図２】図１の栓体の平面図である。
【図３】図１の栓体の成形時の状態を示す縦断面図である。
【図４】図３の栓体の半分を破断した斜視図である。
【図５】図１の錠剤容器の計量姿勢を示す縦断面図である。
【図６】図５に示す姿勢から容器を起して錠剤取り出しのために蓋板を操作した状態を示す縦断面図である。
【図７】図６に示す状態から容器を傾けて錠剤を取り出している状態を示す縦断面図である。
【符号の説明】
【００３１】
１…容器  ２…口頸部  ３…容器本体  ４…栓体  ５…キャップ  ６…胴部  ７…雄ネジ部  ８…天板部  ９…周壁部  １０…雌ネジ部  １１…パッキン  １５…周壁部  １６…底壁  １７…筒状部  １８…フランジ  ２１…側壁  ２２…前壁  ２３…ヒンジ  ２４…蓋板  ２５…垂直壁  ２６…底部壁  ２７…錠剤計量室  ３１…支持壁  ３２…開口  ３３…ひさし片  ３４…空間  ３５…係止部  ３６…操作片
【図１】
0004846454.tif 000002
【図２】
0004846454.tif 000003
【図３】
0004846454.tif 000004
【図４】
0004846454.tif 000005
【図５】
0004846454.tif 000006
【図６】
0004846454.tif 000007
【図７】
0004846454.tif 000008